(57)【特許請求の範囲】
【請求項１】
鉄筋と当該鉄筋を埋設する仕切盤母材部とを備え建物の設備配管スペースを仕切る仕切盤の構造であって、
前記仕切盤母材部は、
前記仕切盤の少なくとも一方の面上に露出し且つ前記鉄筋に接するように配置され、可視光を透過する透過性材料からなる透明部を備える、仕切盤構造。
【請求項２】
前記仕切盤母材部は、コンクリート製の母材本体部を備え、
前記透明部は、
前記母材本体部のコンクリートのかぶり厚さ確保用のスペーサである、請求項１に記載の仕切盤構造。
【請求項３】
前記仕切盤母材部は、コンクリート製の母材本体部を備え、
前記透明部は、
前記鉄筋が通過する位置で前記母材本体部に埋め込まれると共に、前記仕切盤母材部の両方の面に露出する、請求項１に記載の仕切盤構造。
【請求項４】
前記透明部は、前記鉄筋を埋設する透明コンクリートからなり前記仕切盤母材部の面方向全体に亘って存在している、請求項１に記載の仕切盤構造。
【請求項５】
前記仕切盤母材部は、前記透明部の一方の面側に設けられた金属板を更に備える、請求項４に記載の仕切盤構造。
【請求項６】
前記透明部は、前記鉄筋同士が交差する位置に配置され、交差した前記鉄筋の両方に接している、請求項１〜３の何れか１項に記載の仕切盤構造。
【請求項７】
鉄筋と当該鉄筋を埋設する仕切盤母材部とを備え建物の設備配管スペースを仕切る仕切盤の削孔方法であって、
前記仕切盤母材部は、前記仕切盤の少なくとも一方の面上に露出し且つ前記鉄筋に接するように配置され、可視光を透過する透過性材料からなる透明部を備えており、
前記仕切盤の透明部を透して前記鉄筋を目視し前記鉄筋の位置を検知する工程を備える、仕切盤の削孔方法。
【発明の詳細な説明】
【技術分野】
【０００１】
本発明は、建物の設備配管スペースを仕切る仕切盤の構造及び仕切盤の削孔方法に関するものである。
【背景技術】
【０００２】
建物の改修工事においては、設備配管スペース（例えば、ダクトスペース、パイプスペース、エレクトリックパイプスペース等）の床スラブや壁等（以下「仕切盤」）に、新たに設備配管類を挿通させる必要が生じる場合がある。この場合、予備スリーブが無い場合には、コアドリル等を用いて当該仕切盤に新たに貫通孔を設けることになる。鉄筋コンクリート製の仕切盤に貫通孔を設ける場合には、埋設された鉄筋を切断しないようにすることを基本とし、鉄筋を切断せざるを得ない場合であっても最小限の本数とすることが必要である。また、建築基準法で定められた鉄筋のかぶり厚さを確保することも必要である。よって、貫通孔を設ける位置を決定するために、対象の仕切盤に埋設された鉄筋の位置を把握する必要がある。このような要請に対して、従来は、例えばＸ線を用いる放射線透過法によって、仕切盤に埋め込まれた鉄筋の位置を検知していた（例えば、特許文献１，特許文献２を参照。）。
【先行技術文献】
【特許文献】
【０００３】
【特許文献１】特開2002-90468号公報
【特許文献２】特許第2535159号公報
【発明の概要】
【発明が解決しようとする課題】
【０００４】
しかしながら放射線透過法では、仕切盤の一方側にＸ線発生装置、他方側に感光フィルムを設置するといったように、仕切盤で仕切られた建物のエリアを跨いで作業を行う必要がある。よって改修工事の際には、Ｘ線拡散の影響に鑑み、例えば上記エリア毎のテナントの都合に応じて作業時間が制約されていた。また、使用可能な感光フィルムの大きさによっては、仕切盤に沿って平面的に連続的に多数のＸ線撮影を行う必要がある。また、Ｘ線発生装置等の大がかりな装置が必要になる。以上のような理由から、放射線透過法では、鉄筋の位置を把握するために、大がかりな作業が必要であり、多くの手間と時間が必要であった。この課題に鑑み、本発明は、設備配管スペースの仕切盤に埋設された鉄筋の位置を検知する際の手間と時間とを軽減する仕切盤の構造及び仕切盤の削孔方法を提供することを目的とする。
【課題を解決するための手段】
【０００５】
本発明の仕切盤構造は、鉄筋と当該鉄筋を埋設する仕切盤母材部とを備え建物の設備配管スペースを仕切る仕切盤の構造であって、仕切盤母材部は、仕切盤の少なくとも一方の面上に露出し且つ鉄筋に接するように配置され、可視光を透過する透過性材料からなる透明部を備える。
【０００６】
この仕切盤構造によれば、透明部が露出する側の面から仕切盤を見ることにより、透明部を透かして鉄筋を肉眼で視認することができる。従って、大がかりな作業を必要とせずに仕切盤に埋設された鉄筋の位置を検知することができる。
【０００７】
具体的な構成として、仕切盤母材部は、コンクリート製の母材本体部を備え、透明部は、母材本体部のコンクリートのかぶり厚さ確保用のスペーサであってもよい。この構成によれば、可視光を透過するスペーサを通じて、当該スペーサに接触する鉄筋を視認することができる。
【０００８】
また、他の具体的な構成として、仕切盤母材部は、コンクリート製の母材本体部を備え、透明部は、鉄筋が通過する位置で母材本体部に埋め込まれると共に、仕切盤母材部の両方の面に露出するようにしてもよい。この構成によれば、仕切盤の一方の面側から他方の面側へ透明部を透過してくる光によって、当該透明部を通過する鉄筋を視認することができる。
【０００９】
また、更に他の具体的な構成として、透明部は、鉄筋を埋設する透明コンクリートからなり仕切盤母材部の面方向全体に亘って存在しているようにしてもよい。この構成によれば、埋設された鉄筋を仕切盤母材部の少なくとも一方の面側から視認することができる。
【００１０】
また、仕切盤母材部は、透明部の一方の面側に設けられた金属板を更に備えるようにしてもよい。この構成によれば、金属板が、透明部との境界面で金属光沢によって可視光を反射するので、透明部の他方の面側から光を照射することで、金属板からの反射光によって鉄筋が視認し易くなる。
【００１１】
本発明の仕切盤の削孔方法は、鉄筋と当該鉄筋を埋設する仕切盤母材部とを備え建物の設備配管スペースを仕切る仕切盤の削孔方法であって、前記仕切盤母材部は、前記仕切盤の少なくとも一方の面上に露出し且つ前記鉄筋に接するように配置され、可視光を透過する透過性材料からなる透明部を備えており、前記仕切盤の透明部を透して目視で前記鉄筋の位置を検知する工程を備える。
【発明の効果】
【００１２】
本発明によれば、設備配管スペースの仕切盤に埋設された鉄筋の位置を検知する際の手間と時間とを軽減する仕切盤の構造及び仕切盤の削孔方法を提供することができる。
【図面の簡単な説明】
【００１３】
【図１】実施形態に係る仕切盤構造及び仕切盤の削孔方法が適用される建物の一例を示す平面図である。
【図２】（ａ）は、第１実施形態に係る床スラブの鉛直断面図であり、（ｂ）は、（ａ）におけるI-I断面図である。
【図３】スペーサブロックを示す斜視図である。
【図４】（ａ）は、第２実施形態に係る床スラブの鉛直断面図であり、（ｂ）は、（ａ）におけるII-II断面図である。
【図５】第３実施形態に係る床スラブの鉛直断面図である。
【発明を実施するための形態】
【００１４】
以下、図面を参照しながら、建物の設備配管スペースを仕切る仕切盤の構造及び仕切盤の削孔方法の第１〜第３実施形態ついて説明する。各実施形態の説明において、同一又は同等の構成要素には図面に同一の符号を付して重複する説明を省略する。
【００１５】
設備配管スペースとは、建物の中で、冷暖房用、換気用等のダクトや、給排水等の設備配管や、電気の配線とその配線を通す配管などを収納するスペースを言う。設備配管スペースには、ダクトスペース（ＤＳ）、パイプスペース（ＰＳ）、エレクトリックパイプスペース（ＥＰＳ）が含まれる。仕切盤とは、上記の設備配管スペースを他の領域から仕切るものであり、仕切盤には、設備配管スペースの床スラブや壁が含まれる。
【００１６】
（第１実施形態）
図１は、本実施形態の仕切盤構造及び仕切盤の削孔方法が適用される建物の一例として建物１００の内部を示す平面図である。建物１００には、図中にハッチングを付して示すように複数個所の設備配管スペース１０１が設けられている。本実施形態の仕切盤構造は、この３箇所の設備配管スペース１０１の床スラブ（仕切盤）に適用されており、その他の領域（例えば、会議室や機械室）の床スラブや壁には適用されない。
【００１７】
図２（ａ）は、上記のような設備配管スペース１０１の床スラブ１の鉛直断面図であり、図２（ｂ）は、図２（ａ）におけるI-I断面図である。なお、図２（ａ）においては、後述する鉄筋１５とスペーサブロック２１とを図示するために、コンクリート部１３（母材本体部）を除いた状態を図示している。図２に示されるように、鉄筋コンクリート製の床スラブ１は、母材部２（仕切盤母材部）と、母材部２に埋設された鉄筋１５と、を備えている。母材部２は、鉄筋１５を埋設するコンクリート部１３と、後述するスペーサブロック２１を有している。鉄筋１５は、所定の方向に延在する鉄筋１５ａと、鉄筋１５ａに対して直交するように重ねられた鉄筋１５ｂとに区別される。複数の鉄筋１５ａ及び複数の鉄筋１５ｂにより構成された格子状の鉄筋群が上下２層で存在している。
【００１８】
床スラブ１の施工時には、上型枠１７と下型枠１９との間に鉄筋１５が縦横に設置された状態から、上型枠１７と下型枠１９との間にコンクリートが打設され、コンクリート部１３が形成される。ここでは、下層側の鉄筋群に対するコンクリート部１３の下面側のかぶり厚さを確保するために、下型枠１９の上面にはスペーサブロック２１が設置される。
【００１９】
図３に示されるように、スペーサブロック２１は、略直方体形状をなしており上面２１ａに十字状に形成された２つのＵ溝２３，２４を有している。スペーサブロック２１は、鉄筋１５ａと鉄筋１５ｂとの各交差点に設置される。ここでは、深い方のＵ溝２３には鉄筋１５ａが挿入され、鉄筋１５ａはＵ溝２３の底面に接触するように設置される。また、浅い方のＵ溝２４には鉄筋１５ａの上に位置する鉄筋１５ｂが挿入され、鉄筋１５ｂはＵ溝２３の底面に接触するように設置される。このようなスペーサブロック２１の存在により、コンクリート部１３の打設時において、下型枠１９と鉄筋１５ａ，１５ｂとの間が所定距離以上に維持され、その結果、下層側の鉄筋群に対するコンクリート部１３の下面側の所望のかぶり厚さを確保することができる。また、スペーサブロック２１は、可視光を透過する透過性材料からなる。
【００２０】
コンクリート部１３の硬化後、最終的に、上型枠１７及び下型枠１９は除去され、スペーサブロック２１は埋殺しされ残置される。従って、完成状態の床スラブ１において、スペーサブロック２１の下面２１ｂは床スラブ１の下面１ｂに四角形状に露出し、スペーサブロック２１の上面２１ａにおけるＵ溝２３，２４の底面が鉄筋１５ａ，１５ｂに接する。これにより、スペーサブロック２１が占める領域が、床スラブ１の下面１ｂに露出し且つ鉄筋１５に接するように配置され透過性材料からなる透明部２２として機能する。これにより、床スラブ１の下面１ｂ側から見れば、透明部２２を透かして鉄筋１５ａ，１５ｂを視認することができる。
【００２１】
鉄筋１５を肉眼で十分に視認可能するために、透明部２２にはある程度の透明性が必要である。すなわち、「可視光を透過する透過性材料」とは、床スラブ１の表面から内部の鉄筋１５を透かして肉眼で視認することができる程度の透明性をもつ材料を言う。透明部２２の材料（すなわち、スペーサブロック２１の材料）のヘーズ値は小さいことが好ましく、例えば８０未満であることが好ましい。なお、ヘーズ値とは材料の透明さの度合いを示す指標であり、JIS K 7136に定められている。透明部２２を形成する透過性材料としては、透明の樹脂、透明のガラスなどが例として挙げられる。
【００２２】
またスペーサブロック２１の材料として、公知の透明コンクリートを採用してもよい。透明コンクリートとしては、例えば、平行に延びる多数の光ファイバがコンクリートブロックに埋め込まれ、当該多数の光ファイバの両端面がそれぞれコンクリートブロックの対向する一対の両端面上に露出している構成のものを採用してもよい。このタイプの透明コンクリートブロックをスペーサブロック２１に適用した場合、上下方向に延びる多数の光ファイバの下端面がスペーサブロック２１の下面２１ｂに露出し、上記光ファイバの上端面がスペーサブロック２１の上面２１ａに露出するようにすればよい。この構成によれば、上記の多数の光ファイバを通じてスペーサブロック２１の上面２１ａから下面２１ｂに光が透過する。
【００２３】
また他のタイプとして、コンクリートの骨材として透明（可視光透過性）の骨材を含むものを、上記の透明コンクリートとして採用してもよい。この構成によれば、スペーサブロック２１内に分散された透明の骨材を通じてスペーサブロック２１の上面２１ａから下面２１ｂに光が透過する。なお、コンクリート部１３に打設されるコンクリートは、透明コンクリートではなく、通常のコンクリートを用いればよい。
【００２４】
続いて、上述した床スラブ１を貫通する貫通孔を設けるための削孔方法について説明する。建物１００の改修工事においては、設備配管スペース１０１の床スラブ１に、新たに設備配管類を挿通させる必要が生じる場合があり、床スラブ１に予備スリーブが無い場合には、コアドリル等を用いて床スラブ１に新たに貫通孔を設けることになる。このとき、鉄筋１５を切断しないように（或いは、鉄筋１５を切断せざるを得ない場合であっても最小限の本数とするように）、床スラブ１の鉄筋１５の位置を検知する必要がある。
【００２５】
そこで、削孔作業の際には、まず、床スラブ１を下面１ｂ側から見ることにより、透明部２２を通じて、透明部２２に接触した鉄筋１５の一部を肉眼等で視認する。なおこのとき、電灯などの光源からの光を、透明部２２の底面から入射させて鉄筋１５を視認してもよい。複数個所の透明部２２を目視で確認すれば、床スラブ１内で鉄筋１５が通過する軌跡を把握することができ、床スラブ１内の鉄筋１５の位置を検知することができる。その後、上記の鉄筋１５の軌跡を回避するように削孔位置を決定する。または、鉄筋１５を切断せざるを得ない場合には、切断の影響を最小限にするように削孔位置を決定する。その後、決定した削孔位置をコアドリル等で削孔する。
【００２６】
続いて、上述した床スラブ１の構造及び削孔方法による作用効果について説明する。前述のように、床スラブ１の構造によれば、床スラブ１を下面１ｂ側から見ることにより、透明部２２を透過して、透明部２２に接触した鉄筋１５の一部を肉眼等で視認することができ、ひいては、前述のように床スラブ１内の鉄筋１５の位置を検知することができる。すなわち、大がかりな作業を必要とせずに、床スラブ１に埋設された鉄筋の位置を検知することができる。その結果、床スラブ１の鉄筋１５の位置を検知する作業の手間と時間とを低減することができ、床スラブ１の削孔作業、及び建物１００の改修工事の工期を短縮することができる。
【００２７】
（第２実施形態）
続いて、本発明の第２実施形態に係る床スラブ３１の構造について説明する。図４（ａ）は、床スラブ３１の鉛直断面図であり、図４（ｂ）は、その一部破断平面図である。図４に示される床スラブ３１は、前述の床スラブ１に代えて、建物１００の設備配管スペース１０１に適用することができる。床スラブ３１の母材部３２（仕切盤母材部）は、前述の母材部２の透明部２２に代えて、透明部４２を備えている。
【００２８】
透明部４２は、可視光を透過する透過性材料からなる部分であり、コンクリート部１３（母材本体部）に埋め込まれている。透明部４２は、床スラブ３１の厚み方向に延在する直方体形状をなしており、透明部４２の上面及び下面は、それぞれ、床スラブ３１の上面３１ａ及び下面３１ｂに露出している。各透明部４２は、鉄筋１５が通過する位置に配置され、具体的には、鉄筋１５ａと鉄筋１５ｂとの交差点を含む位置及び大きさで直方体形状に形成されている。
【００２９】
また透明部４２の材料として、透明コンクリートを採用してもよい。透明コンクリートとしては、前述のような、コンクリート骨材として透明（可視光透過性）の骨材を含むものを採用してもよい。この場合、鉄筋１５ａと鉄筋１５ｂとの各交差点を含む領域に透明コンクリートを打設し透明部４２を形成する処理と、それ以外の領域に普通のコンクリートを打設する処理とを別々に実行することで、床スラブ３１を形成する。
【００３０】
この床スラブ３１の構造によれば、例えば、床スラブ３１の下面３１ｂ側から透明部４２に光源の光を入射させ、上面３１ａ側から当該透明部４２を覗くことにより、鉄筋１５の一部を肉眼で確認できる。従って、床スラブ３１の構造によっても、第１実施形態の床スラブ１と同様の作用効果が奏される。また、第１実施形態と同様に、床スラブ３１の鉄筋１５の位置を検知した上で、床スラブ３１に削孔を施すことができる。
【００３１】
（第３実施形態）
続いて、本発明の第３実施形態に係る床スラブ５１の構造について説明する。図５は、床スラブ５１の鉛直断面図である。図５に示される床スラブ５１は、前述の床スラブ１に代えて、建物１００の設備配管スペース１０１に適用することができる。床スラブ５１の母材部５２（仕切盤母材部）は、前述の母材部２のコンクリート部１３に代えて、透明部６２を備えている。透明部６２は、鉄筋１５を埋設する透明コンクリートからなり、母材部５２の面方向（水平方向）全体に亘って存在している。また、母材部５２は、透明部６２の下面に設けられた金属板５５を有している。金属板５５は、透明部６２の下面の全体に広がるように設けられている。
【００３２】
また透明部６２の材料として、透明コンクリートを採用してもよい。透明コンクリートとしては、前述のような、コンクリート骨材として透明（可視光透過性）の骨材を含むものを採用してもよい。
【００３３】
この床スラブ５１の構造によれば、上面５１ａ側から見ることにより、透明部６２を透かして、鉄筋１５を肉眼で確認することができる。このとき、床スラブ５１の上面５１ａ側から透明部６２に電灯などの光源の光を入射させてもよい。従って、床スラブ５１の構造によっても、第１実施形態の床スラブ１と同様の作用効果が奏される。また、第１実施形態と同様に、床スラブ５１の鉄筋１５の位置を検知した上で、床スラブ５１に削孔を施すことができる。また、床スラブ５１は、金属板５５を備えていることから、金属板５５が、透明部６２との境界面で金属光沢によって光を反射するので、金属板５５からの反射光によって鉄筋１５が視認し易くなる。なお、金属板５５を省略し母材部５２の全体が透明であってもよい。また、金属板５５は、鋼製の埋殺し型枠であってもよい。この場合、上記の埋殺し型枠は、透明部６２を形成する透明コンクリートの打設に用いられ、残置される。
【００３４】
本発明は、上述した実施形態を始めとして、当業者の知識に基づいて種々の変更、改良を施した様々な形態で実施することができる。また、上述した実施形態に記載されている技術的事項を利用して、実施例の変形例を構成することも可能である。各実施形態の構成を適宜組み合わせて使用してもよい。
【００３５】
第１〜第３実施形態では、本発明の仕切盤構造を床スラブ１の構造に適用する例を説明しているが、本発明における仕切盤は壁であってもよく、本発明は設備配管スペースを仕切る壁の構造にも適用することができる。第１及び第２実施形態では、鉄筋１５ａ，１５ｂの交差点に対応させて透明部２２，４２を配置しているが、この構成は必須ではない。すなわち、鉄筋１５ａが通過する位置に配置される透明部と、鉄筋１５ｂが通過する位置に配置される透明部とが別々に設けられてもよい。但し、鉄筋１５ａ，１５ｂの交差点に透明部を配置することにより、透明部の個数を低減することができる。また、例えばトイレなど、建物の改修工事の際に削孔を施す可能性が高いスペースの壁や床スラブにも、本発明の仕切盤構造に倣った構造を適用することができる。
【符号の説明】
【００３６】
１，３１，５１…床スラブ（仕切盤）、２，３２，５２…母材部（仕切盤母材部）、１３…コンクリート部（母材本体部）、１５，１５ａ，１５ｂ…鉄筋、２１…スペーサブロック（スペーサ）、２２，４２，６２…透明部、５５…金属板、１００…建物、１０１…設備配管スペース。
【図１】
0006682324.tif 000002
【図２】
0006682324.tif 000003
【図３】
0006682324.tif 000004
【図４】
0006682324.tif 000005
【図５】
0006682324.tif 000006